(57)【要約】【課題】  手動でシート状の商品を監視下になくても安全に、かつ順次１枚ずつ安定して搬出可能な商品搬出機構及びこれを実装した商品販売機を提供する。【解決手段】  顧客が硬貨投入後取手６３を押し込むと連動機構７９、Ｌ字部材７８、フランジ７７が右方に移動し待機状態となる。この状態から顧客が取手６３を引くとＬ字部材７８、フランジ７７及びこれと連結しているステージ７５が左方に移動し、ステージ７５と連結した商品押出モジュール７６により商品７１が商品搬出スロット６５から搬出される。硬貨が投入されない場合に顧客が取手６３を瞬時的に引っ張っても、Ｌ字部材７８とフランジ７７との間に適切な遊びを設けているため、商品７１が商品押出モジュール７６により瞬時的に突き出され商品搬出スロット６５に飛び出すことは無い。【選択図】        図７Ａ
2013122651.tif 000002
【特許請求の範囲】
【請求項１】
商品販売機内に積層して収納した薄板状商品を前記商品販売機正面に設けた商品搬出スロットからその一部が突出するように搬出する商品販売機であって、
前記商品販売機の正面に設けたスライダーと、
このスライダーに連動して水平方向に移動するＬ字型部材と、
前記Ｌ字型部材の突起部を内側において可動なように配置構成したフランジと、
前記フランジに連動して前記薄板状商品の背面を商品搬出スロット方向に押し出す商品押出モジュールと、を備え、
前記Ｌ字部材と前記フランジ間の遊びが、前記商品販売機の待機状態における前記Ｌ字部材の可動範囲よりも広いことを特徴とする商品販売機。
【請求項２】
前記商品押出モジュールにおいて、前記薄板状商品の背面部を押し出す面の高さが前記背面部の高さの６０％〜９０％であることを特徴とする請求項１記載の商品販売機。
【請求項３】
最上位に積層した前記薄板状商品の上面に載置し前記薄板状商品に荷重を加えるウェイト板と、前記薄板状商品の在庫状況を検知するため前記ウェイト板の開口部を貫通するように設けたロック用ロッドと、前記ロック用ロッドの下側のヘッド部を格納するように前記ウェイト板の下側面に設けたヘッド埋込部とを設け、ヘッド埋込部の深さが前記ヘッド部の高さよりも大なることを特徴とする請求項１または請求項２記載の商品販売機。
【請求項４】
前記薄板状商品は、シートとこれを包むように構成したフォルダとを有する請求項１乃至請求項３記載の商品販売機。
【請求項５】
ステージに載置した商品を搬出する商品搬出機構であって、このステージに連結して移動するフランジと、このフランジの内側で突起部が可動なように配置構成されたＬ字型部材とを備え、前記Ｌ字部材と前記フランジ間の遊びが、前記商品販売機の待機状態における前記Ｌ字部材の可動範囲よりも広いことを特徴とする商品搬出機構。
【発明の詳細な説明】
【技術分野】
【０００１】
本発明は硬貨などの投入によりロック状態を解除した後、手動により商品を搬出する商品搬出機構及びこれを実装した商品販売機に関し、特にカード、シートなどの薄型商品を１枚ずつ搬出する商品搬出機構及びこれを実装した商品販売機に関する。
【背景技術】
【０００２】
自動販売機は電力を用いた電気式のものと電力を用いない機械式（手動式）のものとがあり、機械式のものは電源やコンセントが無い場所でも容易に設置可能であり、また停電時や節電時間帯においても制約を受けることなく顧客に商品を販売することができる。機械式自動販売機では、玩具、切手シート、カード、アイドルスターの写真を挟んだフォルダ状の薄型商品など多様な商品が販売されているが、薄型商品の場合は商品を傷つけることなく１つずつ確実に搬出しなければならないなど特有の技術的問題を有している。
【０００３】
特許文献１（米国特許第４，４３８，８６８号公報）に記載の機械式自動販売機（第１の従来例）について、図１の（Ａ）〜（Ｃ）を参照して説明する。
【０００４】
図１の（Ａ）を参照すると封筒１１が積層され、最上位の封筒１１の上面にはロック用ピン１１０を貫通させるための開口部を有するウェイト板１９が載置されている。このウェイト板１９は積層された全ての封筒が平坦に保たれるよう封筒１１に均等に加重をかけるために設けられる。
【０００５】
前面パネル１２に設けられた硬貨投入口から規定の硬貨が投入されると、取手１３と硬貨用スライド１４及び脚部１５も取手１３と連動して左右に摺動可能となる。脚部１５はフランジ１６に設けられたノッチに挿入され、フランジ１６はリーディングエッジ１８と連結している。図１の（Ａ）では取手１３を最大に押し込みフランジ１６が上限範囲１７に達している状態である。このとき、リーディングエッジ１８と封筒折り込み部１１１とは図１の（Ａ）のように乖離している。
【０００６】
次に図１の（Ｂ）のように取手１３を顧客が手前（図１では右側）に引くと、脚部１５、フランジ１６、リーディングエッジ１８が連動して右方に移動し、最下位の封筒１１の封筒折り込み部１１１はリーディングエッジ１８によって右方に押し出され、顧客は封筒１１を正常に購入することができる。
【０００７】
図１（Ｃ）は最後の封筒１１が販売されてしまい積層された封筒１１が１枚も残っていない状態を表している。このときロック用ピン１１０は、ウェイト板１９に設けられた開口部と最下位の封筒１１が載置しているステージの開口部（点線部）を落下し、取手１３が左方に移動できないようにロックする。同時に硬貨投入もできないようにロックがかかるようになっている。これにより、在庫切れにも関わらず顧客が硬貨を投入する不具合は解消される。
【０００８】
次に特許文献２（米国特許第７，１２８，２３８号公報）に記載の機械式自動販売機（第２の従来例）について、図２〜図４を参照して説明する。
【０００９】
図２は、ステッカー等の薄いシート状商品２２を包むようにトップパネル２４とボトムパネル２３から構成されるフォルダ２１を示しており、図３はこのフォルダ２１を一枚ずつ販売する機械式自動販売機側面の断面図を示している。図３において、フォルダ２１はガイドフランジ３２，３３上に積み重なって積層され、積層されたフォルダ２１の最上位の上面には図４に示すウェイト板４０が載置される。このウェイト板４０は金属板４１とこの金属板４１に設けられた開口部を貫通するハンドル状ロッド４２とから構成される。なお、このウェイト板４０とハンドル状ロッド４２は、第１の従来例のウェイト板１９とロック用ピン１１０と同様の動作を行う。
【００１０】
図３に戻って説明を続けると、顧客が硬貨投入後スライド機構３１を動かすと、ガイドフランジ３２，３３に載置している最下位のフォルダ２１が左方に移動し、さらにドア部３４に設けた販売スロット３５から前面パネルの手前に押し出され、顧客は購入したいフォルダ２１に収納された商品を入手することができる。最下位のフォルダ２１は積層されたフォルダ２１とウェイト板４０の重量によりガイドフランジ３２，３３上に押されるが、ガイドフランジ３２とはフォルダ２１の全面で接触しておらず水平方向に摺動する際の摩擦力が低減している為、スムーズにフォルダを移動できる。
【００１１】
次に特許文献３（特開２００８−１５２７２４公報）に記載の機械式自動販売機５１の第３の従来例について、図５の（Ａ）及び（Ｂ）を参照して説明する。
【００１２】
図５の（Ａ）において操作機構５２を所定角度範囲で１回だけ回転すると、ストッカー５３の底部の駆動位置Ｔで停止していた硬貨スライダー５４が始動位置Ｓまで移動することによりストッカー５３から後退し、最下位の商品ＭＬがテーブル壁５５に載置される。次に図５（Ｂ）に示すように操作機構６を終点まで回転すると、硬貨スライダー５４が始動位置Ｓから駆動位置Ｔまで移動し、硬貨スライダー５４の当接部５４ａが最下位の商品ＭＬを搬出口５６に押し出す。こうして顧客は商品ＭＬを引き出すことができる。
【先行技術文献】
【特許文献】
【００１３】
【特許文献１】米国特許第４，４３８，８６８号公報
【００１４】
【特許文献２】米国特許第７，１２８，２３８号公報
【００１５】
【特許文献３】特開２００８−１５２７２４公報
【発明の概要】
【発明が解決しようとする課題】
【００１６】
特許文献１記載の第１の従来技術は、封筒折り込み部１１１をリーディングエッジ１８により押し出すことにより、顧客が最下位の封筒１１を封筒販売スロット１１２から引き出すように構成しているので、封筒折り込み部１１１のような鋭角部を有しない商品に対しては基本的に使用できないという問題がある。
【００１７】
また特許文献２記載の第２の従来技術において、フォルダ２１は、フォルダ２１とガイドフランジ３２との間の摩擦により販売スロット３５に押し出されるが、この機構では最下位のフォルダ２１だけでなく、このフォルダ２１の直上に位置するフォルダ２１も一緒に販売スロット３５に出てきてしまうという不具合が発生する。
【００１８】
また悪意の顧客が図３のスライドメカニズム３１を左に激しく動かすと、ガイドフランジ３２とスライドメカニズム３１とが連結しているためフォルダ２１が瞬時的に左方向に加速を受け、ガイドフランジ３２に載置している最下位のフォルダ２１が販売スロット３５からフォルダ２１の先端が飛び出てしまい、フォルダ２１が悪意の顧客に持ち去られてしまう虞がある。
【００１９】
これらの問題を防止するため、この従来技術では弾力性のあるバイアスプレート３６、スプリング３７、フランジ３８などによって対策しているが、これらの付加的な部材を精度良く設ける必要があり、コストアップの要因となるだけでなく、量産上品質の安定性に問題がある。
【００２０】
さらに図４に示すハンドル状ロッド４２に一体的に形成されたヘッド部４３により、最上位に位置するフォルダ２１に対してピンポイント的にウェイト板４０の荷重を印加することになり、フォルダ２１に均等に荷重が印加されない。従って、フォルダ２１が曲がっても完全に平坦化できず、最下位のフォルダ２１とガイドフランジ３２との接触面内で摩擦力が均一にならない。このため最下位のフォルダを安定して摺動することができないという問題がある。
【００２１】
また特許文献３記載の第３の従来技術においては、図５に示すように連動機構５７と硬貨スライダー５４とが連結しており、悪意の顧客が連動機構５７を操作して硬貨スライダー５４を瞬時的に左方向に激しく動かすと、テーブル壁５５に載置している最下位の商品ＭＬの先端が搬出口５６から飛び出て、商品ＭＬが悪意の顧客に持ち去られる虞がある。
【００２２】
また当接部５４ａの突出高さは商品ＭＬの高さより小さく、商品ＭＬの押し出し可能とする高さに設定するとしているが、具体的な好適条件については記載がない。
【課題を解決するための手段】
【００２３】
本発明は上記課題を好適に解決した商品搬出機構及びこれを実装した商品販売機を提供する。
【００２４】
本発明の商品販売機は、商品販売機内に積層して収納した薄板状商品を前記商品販売機正面に設けた商品搬出スロットからその一部が突出するように搬出する商品販売機であって、前記商品販売機の正面に設けたスライダーと、このスライダーに連動して水平方向に移動するＬ字型部材と、前記Ｌ字型部材の突起部を内側において可動なように配置構成したフランジと、前記フランジに連動して前記薄板状商品の背面を商品搬出スロット方向に押し出す商品押出モジュールとを備え、前記Ｌ字部材と前記フランジ間の遊びが、前記商品販売機の待機状態における前記Ｌ字部材の可動範囲よりも広い構成としている。
【００２５】
また商品押出モジュールにおいて、前記薄板状商品の背面部を押し出す面の高さが前記背面部の高さの６０％〜９０％を好適の範囲として設定を行う。このとき積層された薄板状商品群の背面部の高さは最下位の薄板状商品で最小の値となるが、この最小値の値を設定値として用いる。
【００２６】
さらに最上位に積層した前記薄板状商品の上面に載置し前記薄板状商品に荷重を加えるウェイト板と、前記薄板状商品の在庫状況を検知するため前記ウェイト板の開口部を貫通するように設けたロック用ロッドと、前記ロック用ロッドの下側のヘッド部を格納するように前記ウェイト板の下側面に設けたヘッド埋込部とを設け、ヘッド埋込部の深さが前記ヘッド部の高さよりも大なるように構成している。
【００２７】
また前記薄板状商品は、シートとこれを包むようにしたフォルダとを有するような構成としている。
【００２８】
また本発明の商品搬出機構は、ステージに載置した商品を搬出する商品搬出機構であって、このステージに連結して移動するフランジと、このフランジの内側で突起部が可動なように配置構成されたＬ字型部材とを備え、前記Ｌ字部材と前記フランジ間の遊びが、前記商品販売機の待機状態における前記Ｌ字部材の可動範囲よりも広い構成としている。
【発明の効果】
【００２９】
本発明による商品販売機は基本的に電源を使わないので電源コンセントが無い場所でも設置することが出来、設置場所の選択が極めて広い。
【００３０】
また本発明による商品搬出機構は、顧客が操作する取り出し部材と商品が栽置されている保持台とが固定されておらず、好適な“遊び”を設けている。すなわち、保持台下部に凹状の部材が設けてあり、この凹部内で水平にスライドするように、取り出し部材に連動したＬ字部材が設けられている。この機構により、悪意の顧客が取り出し部材を前後に激しく動かしても保持台を設定された位置以上に手前に動かすことが出来ない。この為、悪意の顧客が硬貨を投入せずに取り出し部材を何回も激しく前後にスライドしても商品を勝手に取り出すことを防止することができる。従って監視されていない場所に本発明による商品販売機を設置した場合においても、窃盗などにより商品が不法に持ち出されることのないので極めて安全な商品販売機を提供できる。
【００３１】
また商品背面押し出し部を平面とし、この平面と商品の背面とが平行になるように角度設定することにより、商品の背面を商品背面押し出し部により均一に押す出すことが可能である。また商品が摺動している間に商品が曲がるなどの変形を生じ、商品を保持台に平行に摺動できないという問題も改善する。
【００３２】
さらに、商品背面押し出し部の高さを最下位の商品の厚さに合わせて好適に設定することにより、商品を保持台に対して１枚ずつ確実に摺動して商品取り出しスロットから搬出することができる。
【００３３】
また最上位にある商品に乗せるウェイト板に穴が設けてあり、この穴に在庫切れとなった場合に落下するロック用ロッドを設けているが、ウェイト板にロック用ロッドのヘッド部よりも大きなヘッド埋込み部を設けてヘッド部を埋め込むことにより、商品表面をヘッド部でピンポイント的に押すのではなくウェイト板全体で押すことになるので、商品が曲がらず水平方向に平面を保ったまま商品取り出しスロット方向に押し出すことが可能となる。
【図面の簡単な説明】
【００３４】
【図１】第１の従来例の封筒販売機の側面断面図である。
【図２】第２の従来例の商品販売機で販売するフォルダの斜視図である。
【図３】第２の従来例の商品販売機の側面断面図である。
【図４】第２の従来例の商品販売機で用いるウェイト板の斜視図である。
【図５】第３の従来例の物品供給装置の側面断面図である。
【図６】本発明の商品販売機の外観図である。
【図７Ａ】図６の商品販売機の側面断面図である。
【図７Ｂ】図６の商品販売機の側面断面図である。
【図８】図６の商品販売機の側面断面図である。
【図９】本発明の商品搬出機構を構成する商品押出モジュールの斜視図である。
【図１０】商品の側面断面図である。
【図１１】（Ａ）はウェイト板とロック用ロッドを底面側から見た平面図であり、（Ｂ）はウェイト板とロック用ロッドを側面から見た断面図である。
【発明を実施するための形態】
【００３５】
以下、本発明の実施の形態について、図面を参照しながら説明する。
【実施例１】
【００３６】
図６は本発明の商品販売機の外観図であり、正面パネル６１には硬貨投入部６２と、取手６３と、取手６３と連結した硬貨スライダー６４と、商品を搬出する商品搬出スロット６５とが設けられている。
【００３７】
顧客が硬貨投入部６２に硬貨を投入し取手６３を押し込むと、投入した硬貨は正面パネル６１の背面に設けられた硬貨モジュール内に落下し、正規の硬貨か否か、また所定枚数投入されたか否かが判定される。そして正規の硬貨が所定枚数投入されたと判断した場合は、顧客が押し込んだ取手を引き戻すと、商品販売機内部に積層された商品の中から最下位の商品が商品搬出スロット６５から搬出され、顧客はこれを引き出して硬貨投入から商品受け取りまでの取引は正常に完了する。
【００３８】
商品としては多様な製品群があるが、アイドル写真のようなフィルム状のものであれば、図２に示すフォルダに挟んで写真を痛まないような構成とするが、極めて薄い箱状の商品であれば箱を商品販売機内に積層させ、直接商品搬出スロット６５から搬出するように構成しても良い。
【００３９】
なお図６では、商品搬出スロット６５、硬貨投入部６２、取手６３、硬貨スライダー６４は一段構成となっているが２段以上の多段構成とし、各段の商品搬出スロット６５からはそれぞれ異なる商品を取り出せるように構成としても良い。
【００４０】
次に図６の商品販売機の側面断面図を示す図７（Ａ）、図７（Ｂ）を参照して、商品販売機の商品搬出機構と動作について説明する。なお図６と同じ構成部材については同一符号を付与している。
【００４１】
図７（Ａ）で、商品７１は商品格納ボックス７４に積層されて格納され、最上位の商品７１の上面にはウェイト板７２が載置している。このウェイト板７２は積層された商品７１に荷重を印加し、商品の曲がりを防ぐとともに、ステージ７５と最下位の商品７１との接触面での摩擦が均一となるように構成している。またロック用ロッド７３がこのウェイト板７２を貫通しており、最後の商品７１が商品搬出スロット６５から搬出されると自由落下し取手６３が駆動できないように硬貨モジュール内部でロックする。
【００４２】
ステージ７５の上面には、商品７１の背面部７１ａを押出部７６ａで商品搬出スロット６５の方向に押し出す商品押出モジュール７６がステージ７５に固定して設けられ、ステージ７５の下面にはフランジ７７が設けられている。そしてフランジ７７の内側にＬ字部材７８が水平方向に摺動可能なように配置され、Ｌ字部材７８は連動機構７９と連結部７１０で固定されている。さらに連動機構７９は硬貨モジュール７１１を介して正面パネル６１の左方の硬貨スライダー６４と連動している。
【００４３】
また商品押出モジュール７６の下面にはステージ７５を挟んでステージが左右に移動可能なように保持板（記載せず）を設けており、商品押出モジュール７６はこの保持板の上を左右に摺動する。
【００４４】
顧客が硬貨を投入後に取手６３を押し込むと、硬貨スライダー６４、これと連動した連動機構７９、Ｌ字部材７８が右方に移動し、フランジ７７はＬ字部材７８により右方に押し出され、ステージ７５及び商品押出モジュール７６は、図７（Ａ）のような位置に待機状態となる。
【００４５】
次に図７（Ｂ）に示すように顧客が取手６３を手前（左方）に引くと、硬貨スライダー６４も連動して左方に移動し、硬貨モジュール７１１内部で連結した連動機構７９及びＬ字部材７８がともに左方に移動する。この為、商品押出モジュール７６は最下位の商品７１１の背面部７１ａを押出部７６ａにより押しながら左方に移動するので、最下位の商品７１は商品搬出スロット６５から押し出され、顧客はこれを引き出すことによって商品７１を正常に入手することができる。
【００４６】
このとき、最下位の商品７１の直上にある商品７１が降下してステージに載置され、これが次の最下位の商品７１となる。次の顧客が硬貨投入後取手６３を押し込み商品押出モジュール７６が図７（Ａ）のような待避位置になる。一方、商品７１は商品格納ボックス７４の壁面によって商品格納ボックス７４内に留まり図７（Ａ）に示す状態となる。以降、図７（Ｂ）と図７（Ａ）の状態を繰り返し、商品格納ボックス７４に格納された商品７１が順次１枚ずつ販売されていく。
【００４７】
次に悪意の顧客が正規に硬貨を投入せず商品７１を取ろうとした場合について、図７（Ａ）及び図８を参照して説明する。悪意の顧客が硬貨モジュール７１１に硬貨を投入しない場合に商品販売機は待機状態となっており、連動機構７９にロックがかかって取手６３を引っ張ってもＬ字部材７８が大きく動くことはないが、実際は矢印で示す狭い範囲でＬ字部材７８は可動である。この為悪意の顧客が取手６３を激しく前後に動かした場合、最下位の商品７１の背面部７１ａが押出部７６ａによって激しく突き出され、商品７１の先端が商品搬出スロット６５からわずかながら飛び出てしまい、悪意の顧客が取り去ってしまうという場合があった。
【００４８】
本発明ではフランジ７７とＬ字部材７８との間に遊びを設けてあり、硬貨を投入しない待機状態での可動範囲に対してＬ字部材が左右に移動してもフランジ７７とＬ字部材７８とが接触しないような間隙すなわち遊びを設けている。この為悪意の顧客が取手６３を激しく前後に動かした場合でも、最下位の商品７１の背面部７１ａが押出部７６ａによって瞬時的に突き出され、商品７１の先端が商品搬出スロット６５から飛び出てしまう問題が改善され、品質の優れた商品搬出機構及びこれを実装した商品販売機を実現できる。
【実施例２】
【００４９】
次に図９及び図１０を参照して本発明の商品搬出機構を構成する商品押出モジュール７６について説明する。商品押出モジュール７６は板状部材からなる商品押出プレート７６Ａと押出スライダー７６Ｂと、商品押出プレート７６Ａと押出スライダー７６Ｂとを連結するビスなどの連結部材７６Ｃとを有している。押出スライダー７６Ｂはこの両側に設けられた保持板に挟まれており、商品押出プレート７６Ａがこの保持板上を摺動しながら押出部７６ａにより商品７１の背面部７１ａを押しつつ商品搬出スロット６５側に移動する。
【００５０】
商品７１は図１０に示すように、アイドル写真などのシート状商品７１Ｂとこれを包むように構成されたフォルダ７１Ａとを有している。図９に示すように、押出部７６ａの高さをＨ２、商品の背面の高さをＨ１として、高さＨ１と高さＨ２とを様々に変更して実験したところ、高さＨ２は高さＨ１の７０％程度が最適であり、６０％〜９０％の範囲が好適であることがわかった。
【００５１】
すなわち、高さＨ２が高さＨ１よりも大きい場合は最下位の商品７１の上の商品７１まで押してしまい、２枚の商品７１が一度に商品搬出スロット６５に搬出されてしまうというケースが発生した。
【００５２】
一方、高さＨ２が高さＨ１よりも約５０％以下の場合は、押出部７６ａからの力が背面部７１ａ全体に均一に印加されず背面部７１ａの下側に集中するため、商品押出プレート７６Ａがフォルダ７１Ａの下面に潜り込んでしまいフォルダ７１Ａを押し出せないケースが発生した。また、背面部７１ａの下側に押す力が集中するためフォルダ７１Ａが湾曲するケースや商品搬出スロット６５から正常に１枚ずつ搬出されずフォルダ７１Ａが詰まってしまうケースなどもあった。
【００５３】
さらに、図１０の右端でフォルダ７１Ａの上部が下方に押されフォルダ７１Ａの下部と接着したケースで、高さＨ２を高さＨ１の５０％以下に設定すると、商品押出プレート７６Ａが下側のフォルダ７１Ａを集中して押すようになり、先に述べたように、商品押出プレート７６Ａがフォルダ７１Ａの下面に潜り込んでしまいフォルダ７１Ａを押し出せないケースや背面部７１ａの下側に押す力が集中しフォルダ７１Ａが湾曲するトラブルが多発した。これらの実験結果から、高さＨ２を高さＨ１の５０％以上とすることが必要であるが、実際はフォルダ７１Ａの厚さのばらつき、図１０の右端における上部フォルダと下部フォルダ間の間隙のばらつきを考慮しなければならず、高さＨ２を高さＨ１の５０％に設定した場合、最悪のケースでは高さＨ２が高さＨ１の５０％をかなり下回るケースが発生する。従って、これらの要因を考慮し高さＨ２を高さＨ１の６０％以上とすると量産上安定して商品押出プレート７６Ａによりフォルダ７１Ａを押し出せることを実験を重ねながら突き止めた。
【００５４】
一方、高さＨ２の上限については理論上高さＨ１より下回ればよいが、フォルダ７１Ａの厚さのばらつき、図１０の右端における上部フォルダと下部フォルダ間の間隙のばらつきを考慮すると、９０％以上では最悪のケースで高さＨ２が高さＨ１よりも上回ってしまう恐れがある。実験を繰り返しながら、高さＨ２を高さＨ１の９０％以下に設定すると量産上安定して商品押出プレート７６Ａによりフォルダ７１Ａを押し出せることが確認できた。
【００５５】
上記の実験考察から、高さＨ２は高さＨ１の７０％程度が最適であり、６０％〜９０％の範囲が好適であることが判明した。ここで高さＨ１は、商品格納ボックス７４に格納する前の高さではなく、最下位の商品７１の背面部７１ａの高さを表す。商品７１は商品格納ボックス７４内で積層され最上位にはウェイト板７２が載置され、最下位の商品７１の背面部７１ａの高さはウェイト板７２と上層に積層された商品７１との荷重により下方に押力を受けて商品格納ボックス７４に格納する前の高さよりも小さくなる。従って、高さＨ２はこの効果を考慮して設定を行う。
【実施例３】
【００５６】
次に図１１の（Ａ）及び（Ｂ）を参照して本発明の商品搬出機構を構成するウェイト板７２とロック用ロッド７３について説明する。（Ａ）はウェイト板７２とロック用ロッド７３を底面側から見た平面図であり、（Ｂ）はウェイト板７２とロック用ロッド７３を側面から見た断面図である。ウェイト板７２は金属または樹脂などから構成された板状のプレート７２Ａと、ロック用ロッド７３を貫通させるための開口７２Ｄと、ロック用ロッド７３のヘッド部７２Ｃをプレート７２Ａ内に完全に収納するヘッド埋込み部７２Ｂとを有する。
【００５７】
本発明のウェイト板７２で特徴的なのは、ヘッド部７２Ｃの高さよりもヘッド埋込み部７２Ｂの深さが大きく、ヘッド部７２Ｃがヘッド埋込み部７２Ｂの中に完全に埋め込まれた状態でウェイト板７２が商品７１の上面に載置されることである。このため、ウェイト７２は商品７１の上面に渡って荷重を均一に印加するため、従来技術で問題となっていた最上位に位置する商品にピンポイント的にウェイト板７０の荷重を印加されてしまい商品が曲がっても完全に平坦化できず、また最下位の商品とステージ７５との接触面内で摩擦が均一にならないため最下位の商品が安定して摺動することができないという問題を改善することが出来る。
【符号の説明】
【００５８】
１１  封筒
１２  前面パネル
１３  取手
１４  硬貨用スライド
１５  脚部
１６  フランジ
１７  上限範囲
１８  リーディングエッジ
１９  ウェイト板
１１０  ロック用ピン
１１１  封筒折り込み部
２１  フォルダ
２２  シート状商品
２３  ボトムパネル
２４  トップパネル
３１  スライド機構
３２，３３  ガイドフランジ
３４  ドア部
３５  販売スロット
３６  バイアスプレート
３７  スプリング
３８  フランジ
４０  ウェイト板
４１  金属板
４２  ハンドル状ロッド
４３  ヘッド部
５１  機械式自動販売機
５２  操作機構
５３  ストッカー
５４  硬貨スライダー
５４ａ  硬貨スライダー５４の当接部
５５  テーブル壁
５６  搬出口
５７  連動機構
６１  正面パネル
６２  硬貨投入部
６３  取手
６４  硬貨スライダー
６５  商品搬出スロット
７１  商品
７１ａ  背面部
７１Ａ  フォルダ
７１Ｂ  シート状商品
７２  ウェイト板
７２Ａ  プレート
７２Ｂ  ヘッド埋込み部
７２Ｃ  ヘッド部
７２Ｄ  開口
７３  ハンドル状ロッド
７４  商品収納ボックス
７５  ステージ
７６  商品押出モジュール
７６ａ  押出部
７６Ａ  商品押出プレート
７６Ｂ  押出スライダー
７６Ｃ  連結部材
７７  フランジ
７８  Ｌ字部材
７９  連動機構
７１０  連結部
７１１  硬貨モジュール
【図１】
2013122651.tif 000003
【図２】
2013122651.tif 000004
【図３】
2013122651.tif 000005
【図４】
2013122651.tif 000006
【図５】
2013122651.tif 000007
【図６】
2013122651.tif 000008
【図７Ａ】
2013122651.tif 000009
【図７Ｂ】
2013122651.tif 000010
【図８】
2013122651.tif 000011
【図９】
2013122651.tif 000012
【図１０】
2013122651.tif 000013
【図１１】
2013122651.tif 000014
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
商品販売機内のステージ上面に積層して収納した薄板状商品を前記商品販売機正面に設けた商品搬出スロットからその一部が突出するように搬出する商品販売機であって、
前記商品販売機の正面に設けたスライダーと、
このスライダーに連動して水平方向に移動するＬ字部材と、
前記Ｌ字部材の突起部を内側において水平方向に摺動可能なように配置構成したフランジと、
前記フランジに連結し前記ステージ上面を摺動して、積層した前記薄板状商品の最下位にある前記薄板状商品の背面を、この背面に接して商品搬出スロット方向に水平に押し出す商品押出モジュールと、
最上位に積層した前記薄板状商品の上面に載置し前記薄板状商品に荷重を加えるウェイト板と、
を備え、
前記Ｌ字部材と前記フランジ間の遊びが、前記商品販売機の待機状態における前記Ｌ字部材の可動範囲よりも広いことを特徴とする商品販売機。
【請求項２】
前記商品押出モジュールにおいて、前記薄板状商品の背面部を押し出す面の高さが前記背面部の高さの６０％〜９０％であることを特徴とする請求項１記載の商品販売機。
【請求項３】
前記薄板状商品は、シートとこれを包むように構成したフォルダとを有する請求項１又は請求項２記載の商品販売機。
【請求項４】
ステージに積層載置した商品を搬出する商品搬出機構であって、
スライダーに連動して水平方向に移動するＬ字部材と、
前記Ｌ字部材の突起部を内側において水平方向に摺動可能なように配置構成したフランジと、
前記フランジに連結し前記ステージ上面を摺動して、積層した前記薄板状商品の最下位にある前記薄板状商品の背面を、この背面に接して商品搬出スロット方向に水平に押し出す商品押出モジュールと、
最上位に積層した前記薄板状商品の上面に載置し前記薄板状商品に荷重を加えるウェイト板と、
を備え、
前記Ｌ字部材と前記フランジ間の遊びが、前記商品搬出機構の待機状態における前記Ｌ字部材の可動範囲よりも広いことを特徴とする商品搬出機構。
【請求項５】
商品販売機内に積層して収納した薄板状商品を前記商品販売機正面に設けた商品搬出スロットからその一部が突出するように搬出する商品販売機であって、
前記商品販売機の正面に設けたスライダーと、
このスライダーに連動して水平方向に移動するＬ字部材と、
前記Ｌ字部材の突起部を内側において可動なように配置構成したフランジと、
前記フランジに連動して前記薄板状商品の背面を商品搬出スロット方向に押し出す商品押出モジュールと、を備え、
前記Ｌ字部材と前記フランジ間の遊びが、前記商品販売機の待機状態における前記Ｌ字部材の可動範囲よりも広く、
最上位に積層した前記薄板状商品の上面に載置し前記薄板状商品に荷重を加えるウェイト板と、前記薄板状商品の在庫状況を検知するため前記ウェイト板の開口部を貫通するように設けたロック用ロッドと、前記ロック用ロッドの下側のヘッド部を格納するように前記ウェイト板の下側面に設けたヘッド埋込部とを設け、ヘッド埋込部の深さが前記ヘッド部の高さよりも大なることを特徴とする商品販売機。
【手続補正２】
【補正対象書類名】明細書
【補正対象項目名】００２４
【補正方法】変更
【補正の内容】
【００２４】
本発明の商品販売機は、商品販売機内のステージ上面に積層して収納した薄板状商品を前記商品販売機正面に設けた商品搬出スロットからその一部が突出するように搬出する商品販売機であって、前記商品販売機の正面に設けたスライダーと、このスライダーに連動して水平方向に移動するＬ字部材と、前記Ｌ字部材の突起部を内側において水平方向に摺動可能なように配置構成したフランジと、前記フランジに連結し前記ステージ上面を摺動して、積層した前記薄板状商品の最下位にある前記薄板状商品の背面を、この背面に接して商品搬出スロット方向に水平に押し出す商品押出モジュールと、最上位に積層した前記薄板状商品の上面に載置し前記薄板状商品に荷重を加えるウェイト板と、を備え、前記Ｌ字部材と前記フランジ間の遊びが、前記商品販売機の待機状態における前記Ｌ字部材の可動範囲よりも広い構成としている。
【手続補正３】
【補正対象書類名】明細書
【補正対象項目名】００２８
【補正方法】変更
【補正の内容】
【００２８】
また本発明の商品搬出機構は、ステージに積層載置した商品を搬出する商品搬出機構であって、スライダーに連動して水平方向に移動するＬ字部材と、前記Ｌ字部材の突起部を内側において水平方向に摺動可能なように配置構成したフランジと、前記フランジに連結し前記ステージ上面を摺動して、積層した前記薄板状商品の最下位にある前記薄板状商品の背面を、この背面に接して商品搬出スロット方向に水平に押し出す商品押出モジュールと、最上位に積層した前記薄板状商品の上面に載置し前記薄板状商品に荷重を加えるウェイト板と、を備え、前記Ｌ字部材と前記フランジ間の遊びが、前記商品搬出機構の待機状態における前記Ｌ字部材の可動範囲よりも広い構成としている。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
商品販売機内のステージ上面に積層して収納した薄板状商品を前記商品販売機正面に設けた商品搬出スロットからその一部が突出するように搬出する商品販売機であって、
前記商品販売機の正面に設けたスライダーと、
このスライダーに連動して水平方向に移動するＬ字部材と、
前記Ｌ字部材の突起部を内側において水平方向に摺動可能なように配置構成したフランジと、
前記フランジに連結し前記ステージ上面を摺動して、積層した前記薄板状商品の最下位にある前記薄板状商品の背面を、この背面に接して商品搬出スロット方向に水平に押し出す商品押出モジュールと、
最上位に積層した前記薄板状商品の上面に載置し前記薄板状商品に荷重を加えるウェイト板と、
を備え、
前記Ｌ字部材と前記フランジ間の遊びが、前記商品販売機の待機状態における前記Ｌ字部材の可動範囲よりも広いことを特徴とする商品販売機。
【請求項２】
前記商品押出モジュールにおいて、前記薄板状商品の背面部を押し出す面の高さが前記背面部の高さの６０％〜９０％であることを特徴とする請求項１記載の商品販売機。
【請求項３】
前記薄板状商品は、シートとこれを包むように構成したフォルダとを有する請求項１又は請求項２記載の商品販売機。
【請求項４】
ステージに積層載置した商品を搬出する商品搬出機構であって、
スライダーに連動して水平方向に移動するＬ字部材と、
前記Ｌ字部材の突起部を内側において水平方向に摺動可能なように配置構成したフランジと、
前記フランジに連結し前記ステージ上面を摺動して、積層した薄板状商品の最下位にある前記薄板状商品の背面を、この背面に接して商品搬出スロット方向に水平に押し出す商品押出モジュールと、
最上位に積層した前記薄板状商品の上面に載置し前記薄板状商品に荷重を加えるウェイト板と、
を備え、
前記Ｌ字部材と前記フランジ間の遊びが、前記商品搬出機構の待機状態における前記Ｌ字部材の可動範囲よりも広いことを特徴とする商品搬出機構。
【請求項５】
商品販売機内に積層して収納した薄板状商品を前記商品販売機正面に設けた商品搬出スロットからその一部が突出するように搬出する商品販売機であって、
前記商品販売機の正面に設けたスライダーと、
このスライダーに連動して水平方向に移動するＬ字部材と、
前記Ｌ字部材の突起部を内側において可動なように配置構成したフランジと、
前記フランジに連動して前記薄板状商品の背面を商品搬出スロット方向に押し出す商品押出モジュールと、を備え、
前記Ｌ字部材と前記フランジ間の遊びが、前記商品販売機の待機状態における前記Ｌ字部材の可動範囲よりも広く、
最上位に積層した前記薄板状商品の上面に載置し前記薄板状商品に荷重を加えるウェイト板と、前記薄板状商品の在庫状況を検知するため前記ウェイト板の開口部を貫通するように設けたロック用ロッドと、前記ロック用ロッドの下側のヘッド部を格納するように前記ウェイト板の下側面に設けたヘッド埋込部とを設け、ヘッド埋込部の深さが前記ヘッド部の高さよりも大なることを特徴とする商品販売機。